【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
ユーザーが入力し若しくは選択した「検索用データとしての、映像若しくは図形」に基づいて、前記「検索用データとしての、映像若しくは図形」に適合する一つ又は複数の実況映像を検索し特定又は抽出する実況映像特定手段、を備えたことを特徴とする、実況映像提供システム。
【請求項２】
各地点若しくは領域の各実況映像を取得し又は受信する実況映像取得手段と、
ユーザーが希望する「将来の日又は時間帯の実況映像」に関する希望データを入力する入力手段と、
ユーザーが入力した「将来の日又は時間帯の実況映像」に関する希望データに基づいて、それに適合する一つ又は複数の実況映像を、上記入力された「将来の日又は時間帯」に、特定又は抽出する実況映像特定手段と、
前記実況映像特定手段により特定等された一つ若しくは複数の実況映像又はこの実況映像を識別するための実況映像識別データを、上記入力された「将来の日又は時間帯」に、ユーザー側に送信し又は出力する実況映像等送信手段と、
を備えたことを特徴とする、実況映像提供システム。
【請求項３】
各地点若しくは領域の各実況映像を取得し又は受信する実況映像取得手段と、
ユーザーが入力し若しくは選択した「検索用データとしての、映像若しくは図形」に基づいて、前記「検索用データとしての、映像若しくは図形」に適合する一つ又は複数の実況映像を検索し特定する実況映像特定手段と、
前記実況映像特定手段により特定された一つ若しくは複数の実況映像又はこの実況映像を識別するための実況映像識別データを、ユーザー側に送信し又は出力する実況映像等送信手段と、
を備えたことを特徴とする、実況映像提供システム。
【請求項４】
各地点若しくは領域の各実況映像を取得し又は受信する実況映像取得手段と、
ユーザーが希望する「将来の日又は時間帯の実況映像」に関する希望データを入力する入力手段と、
ユーザーが入力した「将来の日又は時間帯の実況映像」に関する希望データに基づいて、それに適合する一つ又は複数の実況映像を、上記入力された「将来の日又は時間帯」に、特定又は抽出する実況映像特定手段と、
前記実況映像特定手段により特定等された一つ若しくは複数の実況映像又はこの実況映像を識別するための実況映像識別データを、上記入力された「将来の日又は時間帯」に、ユーザー側に送信し又は出力する実況映像等送信手段と、
を備えたことを特徴とする、実況映像提供システム。
【請求項５】
各地点若しくは領域の各実況映像を取得し又は受信する実況映像取得手段と、
ユーザーが入力し若しくは選択した「検索用データとしての、映像若しくは図形」に基づいて、前記「検索用データとしての、映像若しくは図形」に適合する一つ又は複数の実況映像を検索し特定する実況映像特定手段と、
前記実況映像特定手段により特定された一つ若しくは複数の実況映像又はこの実況映像を識別するための実況映像識別データを、ユーザー側に送信し又は出力する実況映像等送信手段と、
を備えたことを特徴とする、実況映像提供システム。
【請求項６】
各地点若しくは領域の各実況映像を取得し又は受信する実況映像取得手段と、
ユーザーが希望する「将来の日又は時間帯の実況映像」に関する希望データを入力する入力手段と、
ユーザーが入力した「将来の日又は時間帯の実況映像」に関する希望データに基づいて、それに適合する一つ又は複数の実況映像を、上記入力された「将来の日又は時間帯」に、特定又は抽出する実況映像特定手段と、
前記実況映像特定手段により特定等された一つ若しくは複数の実況映像又はこの実況映像を識別するための実況映像識別データを、上記入力された「将来の日又は時間帯」に、ユーザー側に送信し又は出力する実況映像等送信手段と、
を備えたことを特徴とする、実況映像提供システム。
【請求項７】
各地点若しくは領域の各実況映像を取得し又は受信する実況映像取得手段と、
ユーザーが入力し若しくは選択した「検索用データとしての、映像若しくは図形」に基づいて、前記「検索用データとしての、映像若しくは図形」に適合する一つ又は複数の実況映像を検索し特定する実況映像特定手段と、
前記実況映像特定手段により特定された一つ若しくは複数の実況映像又はこの実況映像を識別するための実況映像識別データを、ユーザー側に送信し又は出力する実況映像等送信手段と、
を備えたことを特徴とする、実況映像提供システム。
【請求項８】
各地点若しくは領域の各実況映像を取得し又は受信する実況映像取得手段と、
ユーザーが希望する「将来の日又は時間帯の実況映像」に関する希望データを入力する入力手段と、
ユーザーが入力した「将来の日又は時間帯の実況映像」に関する希望データに基づいて、それに適合する一つ又は複数の実況映像を、上記入力された「将来の日又は時間帯」に、特定又は抽出する実況映像特定手段と、
前記実況映像特定手段により特定等された一つ若しくは複数の実況映像又はこの実況映像を識別するための実況映像識別データを、上記入力された「将来の日又は時間帯」に、ユーザー側に送信し又は出力する実況映像等送信手段と、
を備えたことを特徴とする、実況映像提供システム。
【請求項９】
各地点若しくは領域の各実況映像を取得し又は受信する実況映像取得手段と、
ユーザーが入力し若しくは選択した「検索用データとしての、映像若しくは図形」に基づいて、前記「検索用データとしての、映像若しくは図形」に適合する一つ又は複数の実況映像を検索し特定する実況映像特定手段と、
前記実況映像特定手段により特定された一つ若しくは複数の実況映像又はこの実況映像を識別するための実況映像識別データを、ユーザー側に送信し又は出力する実況映像等送信手段と、
を備えたことを特徴とする、実況映像提供システム。
【請求項１０】
各地点若しくは領域の各実況映像を取得し又は受信する実況映像取得手段と、
ユーザーが希望する「将来の日又は時間帯の実況映像」に関する希望データを入力する入力手段と、
ユーザーが入力した「将来の日又は時間帯の実況映像」に関する希望データに基づいて、それに適合する一つ又は複数の実況映像を、上記入力された「将来の日又は時間帯」に、特定又は抽出する実況映像特定手段と、
前記実況映像特定手段により特定等された一つ若しくは複数の実況映像又はこの実況映像を識別するための実況映像識別データを、上記入力された「将来の日又は時間帯」に、ユーザー側に送信し又は出力する実況映像等送信手段と、
を備えたことを特徴とする、実況映像提供システム。
【手続補正２】
【補正対象書類名】明細書
【補正対象項目名】発明の名称
【補正方法】変更
【補正の内容】
【発明の名称】実況映像提供システム
【手続補正３】
【補正対象書類名】明細書
【補正対象項目名】０００１
【補正方法】変更
【補正の内容】
【０００１】
本発明は、各地点又は領域の実況映像をユーザーの希望に応じて提供することができる、実況映像提供システムに関する。
【手続補正４】
【補正対象書類名】明細書
【補正対象項目名】０００３
【補正方法】変更
【補正の内容】
【０００３】
しかしながら、これらの記録媒体に記録された映像は、「過去のもの」に過ぎず、「現在のもの、生のもの」ではない。そのため、実際の景色などは、季節の移り変わり、その日の天候、道路や建物の工事状況などにより、日々刻々変遷していくものであるのに、ユーザーが見ることができるのは「古い（新鮮でない）」ものでしかないという問題がある。
本発明は、「ユーザーが入力したキーワードや文章」に適合するという従来方法により得られる実況映像だけでなく、「ユーザーが入力又は選択した映像又は図形」に適合する実況映像を検索、抽出、提供できるシステムを提供することを目的とする。
また、本発明は、ユーザーが希望する「将来の日又は時間帯の実況映像」に関する希望データに基づいて、それに適合する一つ又は複数の実況映像を特定又は抽出し、提供できるシステムを提供することを目的とする。
【手続補正５】
【補正対象書類名】明細書
【補正対象項目名】０００４
【補正方法】変更
【補正の内容】
【０００４】
第１  「本願の特許請求の範囲に記載された発明」は、次のとおりである。
１．  各地点若しくは領域の各実況映像を取得し又は受信する実況映像取得手段と、ユーザーが入力し若しくは選択した「検索用データとしての、映像若しくは図形」に基づいて、前記「検索用データとしての、映像若しくは図形」に適合する一つ又は複数の実況映像を検索し特定する実況映像特定手段と、前記実況映像特定手段により特定された一つ若しくは複数の実況映像又はこの実況映像を識別するための実況映像識別データを、ユーザー側に送信し又は出力する実況映像等送信手段とを備えた、実況映像提供システムである。
２．  各地点若しくは領域の各実況映像を取得し又は受信する実況映像取得手段と、ユーザーが希望する「将来の日又は時間帯の実況映像」に関する希望データを入力する入力手段と、ユーザーが入力した「将来の日又は時間帯の実況映像」に関する希望データに基づいて、それに適合する一つ又は複数の実況映像を、上記入力された「将来の日又は時間帯」に、特定又は抽出する実況映像特定手段と、前記実況映像特定手段により特定等された一つ若しくは複数の実況映像又はこの実況映像を識別するための実況映像識別データを、上記入力された「将来の日又は時間帯」に、ユーザー側に送信し又は出力する実況映像等送信手段と、を備えたことを特徴とする、実況映像提供システム。
第２  「本願の特許請求の範囲に記載された発明ではないが本明細書において開示されている発明」には、次のものも含まれている。
１．公衆への開示が可能な多数の地点の実況映像をそれぞれリアルタイムに常時入力するために、各地点にそれぞれ設けられた映像入力手段、ユーザーからの要求に基づいて、前記の多数の映像入力手段により得られた実況映像の中から、予め決定されたあるグループに含まれる複数の実況映像を、予め決定された順序に従って、ユーザーに提供する実況映像提供手段、及び、前記実況映像提供手段から提供された実況映像を、ユーザーのために、リアルタイムに表示するための表示手段、を含むことを特徴とする在宅旅行システム。
なお、本明細書において、「在宅旅行」と「仮想旅行」とは同一の意味で使用している。
２．上記１において、前記映像入力手段は、汽車、電車、バス、飛行機、船舶などの乗物から外を見た景色を撮像するように、前記乗物に取り付けられたものを含むものである、在宅旅行システム。
なお、本発明において、前記乗物に取り付けられる映像入力手段は、前記乗物の客席又はその近傍、乗物の運転席又はその近傍、乗物の屋根などに取り付けられて、乗物の内部から外を眺めたのとほぼ同じような景色を撮像するものである。
３．上記１又は２において、さらに、ユーザーから入力された希望データに基づいて、前記の多数の映像入力手段により得られた実況映像の中から、複数の実況映像を選択して、これらを一つのグループと決定するグループ決定手段、を含むことを特徴とする在宅旅行システム。
４．上記３において、さらに、ユーザーから入力された希望データに基づいて、前記のグループとして選択された複数の実況映像をユーザーへ提供するときの、各実況映像の提供の順序を決定する順序決定手段、を含むことを特徴とする在宅旅行システム。
５．上記３又は４において、さらに、前記各実況映像を互いに識別するための実況映像識別データを、キーワード又は文章などの文字列と関連付けながら、記録する実況映像識別データ及び文字列記録手段、前記ユーザーからの希望データを、キーワード又は文章などの文字列により入力するための文字列入力手段、を含むことを特徴とする在宅旅行システム。
なお、本発明において、実況映像識別データとは、各地点のカメラ又はそのカメラからの実況映像を他の実況映像と識別するための識別データである。
６．上記３又は４において、さらに、前記各実況映像を互いに識別するための実況映像識別データを、地図が表示された地図画面上の各地点を互いに識別するための地点識別データと関連付けながら、記録する実況映像識別データ及び地点識別データ記録手段、前記ユーザーからの希望データを、地図画面上の任意の地点の指定により入力するための地点入力手段、を含むことを特徴とする在宅旅行システム。
７．上記１から６までのいずれかにおいて、さらに、前記実況映像のユーザーへの提供行為に応じて、ユーザーの利用料金を算出する利用料金算出手段、を含むことを特徴とする在宅旅行システム。
８．上記７において、前記利用料金算出手段は、前記の実況映像が提供された時期により、例えば、その提供した時期がユーザーからの提供の要求が多い時期か否かにより、利用料金を変更するものである、在宅旅行システム。
９．上記８において、さらに、前記利用料金算出手段により算出された利用料金をユーザーに通知する利用料金通知手段を含むことを特徴とする、在宅旅行システム。
１０．上記５から９までのいずれかにおいて、前記各実況映像を互いに識別するための実況映像識別データは、前記映像入力手段が設けられた各地点を示すデータとその映像入力手段が撮影する方向を示すデータとから構成されている、在宅旅行システム。
１１．公衆への開示が可能な多数の地点の実況映像をそれぞれリアルタイムに常時入力するために、各地点にそれぞれ設けられた映像入力手段、前記映像入力手段からの実況映像を互いに識別するための実況映像識別データを記録する実況映像識別データ記録手段、ユーザーの現在位置を特定する現在位置特定手段、この現在位置特定手段により特定されたユーザーの現在位置に基づいて、前記実況映像識別データ記録手段から、前記ユーザーの現在位置の近くにある一つ又は複数の実況地点の実況映像を特定するための実況映像識別データを選択する実況映像識別データ選択手段、この選択された実況映像識別データに基づいて、該当する実況映像をオンラインで取り込む映像取り込み手段、及び、この映像取り込み手段により取り込まれた実況映像をリアルタイムに表示する表示手段、からなる、在宅旅行システム。
１２．上記１１において、前記映像入力手段は、前記各実況地点から複数の方向に向かって見える映像をそれぞれ撮像するものであり、前記各実況映像を互いに識別するための実況映像識別データは、前記映像入力手段が設けられた各実況地点の位置を示す位置データと、その映像入力手段が撮像する方向を示す方向データと、から構成されており、前記現在位置特定手段は、ユーザーの現在位置を特定する手段とユーザーの進行方向を特定する手段とを含んでおり、前記実況映像識別データ選択手段は、前記現在位置特定手段により特定されたユーザーの現在位置及びユーザーの進行方向に基づいて、ユーザーの現在位置からユーザーの進行する側の方向に存在する実況地点であってユーザーの現在位置に近い実況地点の位置を示す位置データと、ユーザーの進行方向を示す方向データと、から成る実況映像識別データを、選択するものである、ことを特徴とする在宅旅行システム。
【手続補正６】
【補正対象書類名】明細書
【補正対象項目名】０００５
【補正方法】変更
【補正の内容】
【０００５】
第１  「本願の特許請求の範囲に記載された発明」によれば、次のような効果を奏する。
１．  「ユーザーが入力したキーワードや文章」に基づいて検索等するという従来からの方法により得られる実況映像だけでなく、「ユーザーが入力又は選択した映像又は図形」に基づいて検索等された実況映像を検索、抽出、提供できるようになる。
２．  ユーザーが希望する「将来の日又は時間帯の実況映像」に関する希望データに基づいて、それに適合する一つ又は複数の実況映像を特定又は抽出し、提供できるようになる。
第２  「本願の特許請求の範囲に記載された発明ではないが本明細書において開示されている発明」によれば、次のような効果を奏することができる。
（１）本発明による在宅旅行（仮想旅行）システムによれば、一つのグループにまとめられた複数の地点からそれぞれ見える実況映像を、リアルタイムに、所定の順序で、次々とユーザーに提供することができる。したがって、ユーザーは、自宅にいながら、あたかも、前記のグループ内の複数の地点を所定の順序で周遊しているのと同様の感動・臨場感を得ることが可能になる。
（２）本発明による在宅旅行システムによれば、ユーザーは、地図を見ながら、例えば希望の地点をポインティングデバイスで指定する（例えばマウスでクリックする）だけで、その地点の今の現時点の状況を実況映像で見ることができる。また、ユーザーは、いちいちポインティングデバイスで指定しなくても、予めコンピュータプログラムにより、複数の地点からの実況映像を順次リアルタイムに表示するように設定しておけば、コンピュータにより次々と希望する地点に対応する実況映像を表示させることができる。よって、ここでも、ユーザーは画面上で、実際には行っていないのに実際に行っているのと同じ感動や臨場感を得られる「バーチァル・トラベル（仮想旅行）」を実現できるようになる。
また、例えば、全世界の地図から全世界の各地の実況映像をみながら、全世界のユーザーが一つの宝を探していくというような、コンピュータ通信ネットワークの世界の中での「宝探し」ゲームを世界中で同時に競うことも可能になる。
（３）また本発明による遠隔旅行システムによれば、ユーザーは、自分の希望する文字列等により構成される検索データを入力することにより、その検索データに対応する一つ又は複数の地点の実況映像を、その場でリアルタイムに見ることが可能になる。特に、遠隔の複数の地点における今この瞬間の実況を映像でリアルタイムに順次見ることができる「バーチャル・トラベル（仮想旅行）」を提供できるようになる。
（４）なお、本発明において、前記各実況映像を特定するための実況映像識別データを、前記映像入力手段が設けられた各地点を示す位置データとその映像入力手段が撮影した方向を示す方向データとから構成するようにすれば、同じ地点でも、見る方向によって異なる実況映像を提供できるようになり、「生の現場」をより詳細にリアルタイムに再現できる実況映像を提供できるようになる。
（５）また従来より存在しているＧＰＳ受信機と本発明とを組み合わせることによって、次のような効果も得ることができる。すなわち、ユーザーがＧＰＳ受信機からの現在位置（緯度データと経度データの座標データ）に基づいて地図データベースから現在位置を含む所定領域の地図を読み出して表示し、その表示された地図上に表示された現在位置（座標データ）又はそれと近い地点をユーザーがマウスでクリックしてその地点の実況映像をオンラインで取り出すように指令すれば、ＧＰＳ受信機からの現在位置が計測誤差などのない正しいものかどうかを確認することができる。つまり、表示された実況映像がユーザーの現在の位置から実際に見えるものと一致していれば、ＧＰＳ受信機からの現在位置は正しいものと判定できる（従来は、ユーザーは、地図だけでは、ＧＰＳ受信機による現在位置が正しいかどうかを自分で確かめることが困難だった）。